(57)【要約】【課題】  足裏の反射帯マッサージ機の提供【解決手段】  支持ユニット、及び、1組の相互取外し可能な指圧体を含み、且つ、異なる指圧体の頂部には、平坦状、ドーム状（dome）、或いは、突起状（bulge）の指圧突起などを含んだ、それぞれ異なる刺激力の指圧突起を設けている。本発明の足裏の反射帯マッサージ機を単独使用、或いは、2個を1対として使用する機能を具え、また、異なる刺激力の指圧体を交換する機能を具えることで、使用者に立ったままの方法で使用することを提供でき、且つ、使用者の自重を集中することができ、使用者の足裏の反射帯に有効的な刺激とマッサージを与えることで、血液循環と体内の毒素を排除することを促進し、特に使用者の大腿筋強化のサポートと大腿のぜい肉を落とす効果を有する。【選択図】  図４
2007130233.tif 000002
【特許請求の範囲】
【請求項１】
足裏の反射帯マッサージ機において、支持ユニット及び1個以上の指圧体を含み、
前記支持ユニットには、本体を具え、且つ、該本体の頂部に嵌合溝を設け、及び、前記指圧体には本体を具え、該本体の頂部に指圧突起を具備し、且つ、該本体の底部に連結部を具えることで、前記支持ユニットの嵌合溝に嵌合できることを特徴とする、足裏の反射帯マッサージ機。
【請求項２】
請求項１記載の足裏の反射帯マッサージ機において、前記指圧体の頂部にドーム状の指圧突起、或いは、突起状の指圧突起、或いは、平坦状の指圧突起のいずれかを設けることを特徴等する、足裏の反射帯マッサージ機。
【請求項３】
足裏の反射帯マッサージ機の組合せ品において、2個の足裏の反射帯マッサージ機及び1本以上の連接棒を含み、前記足裏の反射帯マッサージ機は1本の支持ユニット及び1個以上の指圧体を含み、
前記支持ユニットは本体を具え、該本体の頂部に嵌合溝を具備し、且つ、該本体の側面に1個以上の連接結部を設け、且つ前記の連接部に差込口を具えることで、前記連接棒を組み合わせるために嵌入でき、
前記指圧体は本体を具え、該本体の頂部に指圧突起を具備し、且つ、該本体の底部に連結部を設けることで、前記支持ユニットの嵌合溝に組み合わせて嵌入できることを特徴とする、足裏の反射帯マッサージ機の組合せ品。
【請求項４】
請求項３記載の足裏の反射帯マッサージ機の組合せ品において、前記指圧体の頂部にドーム状の指圧突起、或いは、突起状の指圧突起、或いは、平坦状の指圧突起のいずれかを設けることを特徴とする、足裏の反射帯マッサージ機の組合せ品。
【発明の詳細な説明】
【技術分野】
【０００１】
本発明は、足裏の反射帯マッサージ機に関り、特に立ったままの方法で且つ使用者自身の重量を集中してフット反射帯（reflex zones）を刺激する効果をもたらす足裏の反射帯マッサージ機である。
【背景技術】
【０００２】
人体は、新陳代謝の作用により、体内に蓄積した老廃物或いは毒素を体外に排出している。1度体内に入った老廃物或いは毒素蓄積を体外に排出できない場合、不健康で容易に病気に掛かる身体となってしまう。
【０００３】
人が立っている時、人体の両足が頭と心臓から最も遠くなり、特に人体の血液循環が容易に下に下がり、上がることが困難となるため、人体の最下方の両足に非常にある程度の老廃物或いは毒素などの代謝物質が蓄積され易くなり、加えて両足に病気を抱えていない場合、一般人は対してケアに注意せず、両足に蓄積した老廃物或いは毒素が長期的に体外に排出されないと、人体の血液循環と新陳代謝の正常な働きにも影響を与え、最終的に人体の機能が徐々に退化することになる。
【０００４】
しかし、人体の足裏の皮膚の神経末梢付近には多くの反射帯（reflex zones）を有し、人体の器官或いは腺体と密接に繋がっている関係があるだけでなく、且つ人体の足裏の反射帯に有効的な刺激或いはマッサージを与えることで、人体の各器官或いは腺体の血液循環を更にスムーズにすることもでき、更に新陳代謝を正常に促進させることができる。つまり、人体の足裏の反射帯に有効的な刺激或いはマッサージを加えることで、人体に蓄積された老廃物或いは毒素を体外に排出することを助け、治療と健康維持の効果を得ることができる。
【０００５】
ただし、現在市場で公開使用されている従来の足裏マッサージ機の使用方法は、全て使用者が座った方法で足裏マッサージ機を使用している。また座ったまま足裏マッサージ機を使用する欠点とは、使用者に刺激力を集中して足裏反射帯に有効的な刺激或いはマッサージを十分に加えることができず、使用上、足裏マッサージ機としての真の効果を達することができず、血液のスムーズな循環の促進と新陳代謝の加速効果について、実際的に効果が少ないものとなっている。
【発明の開示】
【発明が解決しようとする課題】
【０００６】
これに鑑み、本発明の主な目的は、足裏の反射帯マッサージ機の提供にあり、使用者が立ったままの方法で使用し、且つ使用者自身の重量を集中し、使用者の足裏の反射帯に対して有効的な刺激とマッサージを与え、従来の足裏マッサージ機を座ったまま使用する欠点以外に、使用上、足裏マッサージに対する真の足裏マッサージの効果を実現でき、血液循環の促進や細胞から活力を発生させて老化を防止し、体内の毒素を排除することができる。特に、使用過程において、使用者は、片足或いは両足で足裏の反射帯マッサージ機の上面に立つことで足裏マッサージを行い、且つ使用者の大腿筋が足裏の反射帯を力強く踏んで刺激することによって、使用者の大腿筋が運動と訓練を受け、これにより、本発明の足裏の反射帯マッサージ機には、使用者の大腿筋強化のサポートと大腿のぜい肉を落とす効果を具えている。
【０００７】
本発明の別の目的は、足裏の反射帯マッサージ機の提供にあり、支持ユニット及び1組の相互取外し可能な指圧体を含み、単独使用或いは2個を1対として使用する機能を具え、且つそれぞれ取外しできる指圧体の頂部に、平坦状、ドーム状（dome）或いは突起状（bulge）の指圧突起などのそれぞれ異なる刺激力の指圧突起を設けることで、本発明の足裏の反射帯マッサージ機が異なる刺激力の指圧体を交換する機能を具え、使用者が立ったままの方法、且つ自重によって足裏の反射帯に刺激する効果を提供することができる。特に、使用者自身のニーズに基づいて、自重の集中により片足で適した我慢できる程度の刺激力によって足裏の反射帯マッサージ機の指圧突起の上面を踏む、或いは自重の集中により両足で同時に適した我慢できる程度の刺激力によって足裏の反射帯マッサージ機組合せ品の指圧突起の上面を踏むことを選択でき、或いは自重の集中により両足で異なる刺激力を具えた指圧突起が足裏の反射帯マッサージ機組合せ品の上面に踏むことを選択することができることによって、使用者の足裏の反射帯に対し、有効的な刺激とマッサージの効果を得ることができる。
【実施例】
【０００８】
図１から図３を見ると、本発明の足裏の反射帯マッサージ機10は、立ったままの方法で使用する足裏マッサージ機で、使用者が片足で足裏の反射帯マッサージ機10の上面を踏み、特に使用者の自重で使用者の足裏の反射帯に有効的な刺激とマッサージを施す。且つ、図４から図５に示すように、本発明の足裏の反射帯マッサージ機10は、足裏の反射帯マッサージ機の組合せ品20に連結することができ、使用者の自重によって両足で同時に足裏の反射帯マッサージ機の上面で立って足裏マッサージを行うことができる。
【０００９】
図１から図２を見ると、本発明の足裏の反射帯マッサージ機10の基本構造は、支持ユニット30及び指圧体40の共同で組成されているが、本発明の足裏の反射帯マッサージ機10の好ましい実施例は、該指圧体40と支持ユニット30の間の連結構造を分離可能な構造とすることで、本発明の支持ユニット30に各種異なる指圧体40をマッチできることと、異なる刺激力の指圧体40を交換できる使用機能を具える。
【００１０】
これにより、図2を見ると、本発明の足裏の反射帯マッサージ機10の好ましい実施例には、支持ユニット30及び1組の相互に交換できる指圧体40を含む。該支持ユニット30は、構造が堅固で且つ低重心の本体31を具えることで一般使用者の重量を支えることができ、且つ該本体31の頂部に嵌合溝32を設けて、異なる刺激力の指圧体40を嵌入と共同で本発明で開示する足裏の反射帯マッサージ機10を組成することができる。
【００１１】
その他、該本体31の底部は、更に一歩進んで複数のスタンド33を設け、且つ該支持ユニット30の重心を更に低く配置することで、安定して地面に置くことができる。
【００１２】
相互に交換できる指圧体40の基本構造は、構造が堅固な本体41を具え、且つ該本体41の底部に連結部43を具え、その形状が支持ユニット30の頂部に設ける嵌合溝32に対応することで各指圧体40は、設けた連結部43を支持ユニット30の嵌合溝32に組み合わせて嵌入した後、支持ユニット30と共同で、本発明で開示する足裏の反射帯マッサージ機10を組成する。逆に、異なる指圧体40を交換したい場合、本来の指圧体40を抜き取って共同で組み合わせている支持ユニット30を分離させ、該支持ユニット30を別の異なる指圧体40に交換することができる。
【００１３】
異なる指圧体40に異なる使用機能を持たせるため、各指圧体40の本体頂部に異なる形状の指圧突起を形成し、これには指圧体40の本体41の頂部にドーム状指圧突起42a、或いは突起状指圧突起42b、或いは平坦状指圧突起42cなどを含むよう形成する。使用時、異なる指圧体40は各異なる頂部形状を介することで、各異なる刺激力を有する。
【００１４】
例えば、使用者の片足を突起状指圧突起42bの指圧体40の上面を踏む、或いは平坦状指圧突起42cの指圧体40の上面を踏むと、使用者の足裏の反射帯が、異なる程度の刺激力或いはマッサージを受けることができるため、本発明の足裏の反射帯マッサージ機10は、異なる刺激力の指圧体40を交換できる機能を具備する。
【００１５】
図３を見ると、使用者自身のニーズに基づいて、刺激力が合って我慢できる程度の指圧体40と支持ユニット30の共同で本発明で開示する足裏の反射帯マッサージ機を組成するよう選択できる。使用時、使用者は、片足の自重で足裏の反射帯マッサージ機10の指圧体40の上面を踏み、指圧体40から発生した反作用力を介して、使用者の足裏の反射帯に対して有効的な刺激とマッサージを十分与えることができ、真の足裏マッサージの効果を実現でき、血液循環の促進や細胞から活力を発生させて老化を防止し、体内の毒素を排除することができる。
【００１６】
図４及び図５を見ると、本発明で開示する足裏の反射帯マッサージ機10の支持ユニット30が、本体31の側面に1個以上の連接部34を設けることができ、且つ前記連設部34に差込口35を設けて、1本以上の連接棒50を組み合わせるために嵌入することができる。これにより、本発明で開示する足裏の反射帯マッサージ機には、1対で使用する機能を具え、2個の足裏の反射帯マッサージ機10が連接棒50をそれぞれの連接部34の差込口35に嵌入した後、共同でもう一種類の足裏の反射帯マッサージ機組合せ品20に組成することで、使用者の自重によって両足で同時に１対の足裏の反射帯マッサージ機10の指圧体40上面で立って足裏マッサージを行うことができる。
【００１７】
また、本発明の足裏の反射帯マッサージ機10の異なる指圧体40を交換できる使用機能を利用して、使用者は、両足で異なる刺激力を組成した指圧突起42aの足裏の反射帯マッサージ機組合せ品20の上面に立ち、且つ自重を集中させて両足の足裏の反射帯に対してそれぞれ異なる程度の刺激とマッサージを与えることができる。
【００１８】
図５を見ると、本発明の足裏の反射帯マッサージ機10の支持ユニット30の構造が非常に安定し、且つ重心も非常に低いため、使用者が両足で1対となった足裏の反射帯マッサージ機10の指圧体40の上面に立ち、且つ両足で連続した踏み変えの位置交替によって足裏をマッサージする時、使用者の自重が支えられる以外に、各足裏の反射帯マッサージ機10が横転することも無く、且つ使用者の自重が各足裏マッサージ機10の指圧体40の上面に集中分布でき、これに加え各指圧体40の本体41の頂部に異なる形状の指圧突起を設けることで、十分な力を集中して、使用者の足裏の反射帯に有効的な刺激とマッサージを施すことができるため、血液循環の促進が図られ、細胞を刺激して活力が生じて老化を防止し、体内の毒素を排出する効果を達することができる。
【００１９】
その他、使用者が本発明の足裏の反射帯マッサージ機組合せ品20の上面に立ち、且つ継続して足裏が刺激されるマッサージの位置を移動する時、使用者の大腿筋も大いなる訓練と運動を受ける。これにより、使用者が立ったままの方法で本発明の足裏の反射帯マッサージ機組合せ品20を使用する時、足裏が刺激とマッサージを受ける過程中においても、大腿筋の強化と大腿のぜい肉を落とす効果も達することができる。
【図面の簡単な説明】
【００２０】
【図１】本発明である足裏の反射帯マッサージ機の構造見取図である。
【図２】図１の足裏の反射帯マッサージ機が異なる指圧体を交換できる構造の見取図である。
【図３】図１の足裏の反射帯マッサージ機に使用者が片足で立ったままの方法で使用且つ使用者の自重を集中することで足裏の反射帯マッサージ効果を達する使用状態の説明図である。
【図４】図１の足裏の反射帯マッサージ機が、1対となって使用できる足裏の反射帯マッサージ機組合せ品の構造見取図である。
【図５】図４の足裏の反射帯マッサージ機組合せ品が使用者に両足で立ったままの方法で使用、且つ使用者の自重を集中することで足裏の反射帯マッサージ効果を達する使用状態の説明図である。
【符号の説明】
【００２１】
10  足裏マッサージ機
20  足裏マッサージ機組合せ品
30  支持ユニット
31  本体
32  嵌合溝
33 スタンド
34 連接部
35 差込口
40 指圧体
41 本体
42a ドーム状指圧突起
42b 突起状指圧突起
42c 平坦状指圧突起
43 連結部
50 連接棒
【図１】
2007130233.tif 000003
【図２】
2007130233.tif 000004
【図３】
2007130233.tif 000005
【図４】
2007130233.tif 000006
【図５】
2007130233.tif 000007